(57)【要約】【課題】  作業台や台車等に簡単に装着でき、また、簡単に取り外すことができ、しかも、安価である装着用ジャッキを提供する。【解決手段】  長孔が穿設された略直角の屈曲部を左右対称に設けたロアフレームとこれと同形状のアッパーフレームとを、屈曲部を対向させて上下対称に配置し、その上下間に、平行して屈伸する手段を具備した二つの交差リフトアームを、それぞれ、左右対称で屈曲部に近接させて、交差リフトアームの一つのアームの端部をロアフレームの屈曲部の長孔に嵌挿した移動軸に軸支し、同アームの他端部をアッパーフレームの屈曲部に係止する固定軸に軸支し、同交差リフトアームの他のアームの端部をアッパーフレームの屈曲部の長孔に嵌挿した移動軸に軸支し、同アームの他端部をロアフレームの屈曲部に係止する固定軸に軸支する。【選択図】  図１
2004315233.tif 000002
【特許請求の範囲】
【請求項１】
長孔が穿設された略直角の屈曲部を左右対称に設けたロアフレームとこれと同形状のアッパーフレームとを、屈曲部を対向させて上下対称に配置し、その上下間に、平行して屈伸する手段を具備した二つの交差リフトアームを、それぞれ、左右対称で屈曲部に近接させて、交差リフトアームの一つのアームの端部をロアフレームの屈曲部の長孔に嵌挿した移動軸に軸支し、同アームの他端部をアッパーフレームの屈曲部に係止する固定軸に軸支し、同交差リフトアームの他のアームの端部をアッパーフレームの屈曲部の長孔に嵌挿した移動軸に軸支し、同アームの他端部をロアフレームの屈曲部に係止する固定軸に軸支したことを特徴とする装着用ジャッキ。
【請求項２】
全てのアーム端部を屈曲部の内側にそれぞれ軸支したことを特徴とする請求項１に記載の装着用ジャッキ。
【請求項３】
屈伸手段が移動軸と固定軸との距離を伸縮させる螺旋溝を有する回転軸によることを特徴とする請求項１又は２に記載の装着用ジャッキ。
【請求項４】
回転軸の掴み部と電動ドリルに挿着されたソケットの接続孔を嵌着し、電動ドリルを起動させて回転軸を回転させることを特徴とする請求項１、２又は３に記載の装着用ジャッキ。
【請求項５】
ロアフレームの平面部又は/及びアンダーフレームの平面部に装着手段を設けたことを特徴とする請求項１、２、３又は４に記載の装着用ジャッキ。
【発明の詳細な説明】
【技術分野】
【０００１】
本発明は、作業台や台車等に装着して使用するジャッキに関する。
【背景技術】
【０００２】
従来から、Ｘ字状に交差したリフトアームによるジャッキ機構を使用した作業台やリフトカーが一般化されている。例えば、実開昭５４−７４４５３号公報には交差リフトアームを取り付けたリフトカーが、また、実開昭５８−８７７号公報には同様な交差リフトアームを取り付けた移動可能な作業台が開示されている。
【特許文献１】実開昭５４−７４４５３号公報
【特許文献２】実開昭５８−８７７号公報
【０００３】
しかしながら、上記リフトカーや作業台は、ジャッキ機構が固定され、予めその用途で完成されたものである。このたの、例えば、リフトカーが不要となり作業台が必要となった場合、そのジャッキ機構の取り外しや取付けに多大な手間と経費を要していた。
【発明の開示】
【発明が解決しようとする課題】
【０００４】
本発明は上記の問題に鑑みてなされたものであり、作業台や台車等に簡単に装着でき、また、簡単に取り外すことができ、しかも、安価である装着用ジャッキを提供することを目的とする。
【課題を解決するための手段】
【０００５】
上記目的を達成するため、本発明の装着用ジャッキ１は、長孔が穿設された略直角の屈曲部を左右対称に設けたロアフレームとこれと同形状のアッパーフレームとを、屈曲部を対向させて上下対称に配置し、その上下間に、平行して屈伸する手段を具備した二つの交差リフトアームを、それぞれ、左右対称で屈曲部に近接させて、交差リフトアームの一つのアームの端部をロアフレームの屈曲部の長孔に嵌挿した移動軸に軸支し、同アームの他端部をアッパーフレームの屈曲部に係止する固定軸に軸支し、同交差リフトアームの他のアームの端部をアッパーフレームの屈曲部の長孔に嵌挿した移動軸に軸支し、同アームの他端部をロアフレームの屈曲部に係止する固定軸に軸支したことを特徴とする。
【０００６】
この場合、全てのアーム端部を屈曲部の内側にそれぞれ軸支してもよい。
【０００７】
この場合、屈伸手段として移動軸と固定軸との距離を伸縮させる螺旋溝を有する回転軸が使用できる。
【０００８】
この場合、回転軸の掴み部と電動ドリルに挿着されたソケットの接続孔を嵌着し、電動ドリルを起動させて回転軸を回転させることができる。
【０００９】
この場合、ロアフレームの平面部又は/及びアンダーフレームの平面部に装着手段を設けてもよい。
【発明の効果】
【００１０】
二つの交差リフトアームが平行して屈伸すれば、交差リフトアーム４の各アームの各端部が長孔に沿って移動軸と共に左右及び上下対称で移動し、ロアフレームとアッパーフレームとの距離は上下で平行して伸縮することになる。  
【００１１】
また、全てのアーム端部を屈曲部の内側にそれぞれ軸支すれば、装着用ジャッキの外側の障害を最少化できることになる。
【００１２】
また、回転軸を使用することにより、回転軸を回転させれば、交差リフトアームの各アームの各端部が長孔に沿って移動軸と共に左右及び上下対称で移動し、ロアフレームとアッパーフレームとの距離は上下で平行して伸縮することになる。
【００１３】
また、電動ドリルを起動させて回転軸を回転させることで、本発明の装着用ジャッキの操作は著しく楽になる。
【００１４】
また、ロアフレームやアンダーフレームの平面部に装着手段を設けることにより、本発明の装着用ジャッキと台や台車等の被装着体との装着作業がより楽になる。
【発明を実施するための最良の形態】
【００１５】
以下、本発明の装着用ジャッキの実施形態を図１〜図３の図面に基づいて説明する。
【実施例１】
【００１６】
図１と図２に、本発明の装着用ジャッキの第１実施例を示す。
この第１実施例における装着用ジャッキ１は、屈曲部２０を設けたロアフレーム２とアッパーフレーム３とをその屈曲部２０を対称に対向させて上下対称に配置し、その上下間で屈曲部２０、３０に隣接させて二つの交差リフトアーム４を左右対称に設け、交差リフトアーム４のアーム４０の端部４１、４２を軸止して、向かい合う屈曲部２０、屈曲部３０間にそれぞれ移動軸５、固定軸６を設けたものである。
【００１７】
ロアフレーム２とアッパーフレーム３とは全く同じ形状であり、それぞれ、平面部２２，３２の両端を略９０度同方向に折り曲げて屈曲部２０、３０を形成し、その屈曲部２０、３０に片端部に偏向して長孔２１、３１を設けている。
【００１８】
また、交差リフトアーム４は同じ長さの二本のアーム４０、４０を重ね、その中心同士をリベットにより回転自在に軸止したもので、本発明の場合、一本のアーム４０の両端ををそれぞれ端部４１、端部４２としている。一般的に、交差リフトアーム４は二本のアーム４０、４０の開閉によりそのリフト高さを調整し、その最大高さは略アーム４０、４０の長さとなる。
【００１９】
そして、上記の上下のロアフレーム２とアッパーフレーム３と左右の交差リフトアームを、交差リフトアーム４の一つのアーム４０端部４１をロアフレーム２の屈曲部２０の長孔２１に嵌挿した移動軸５に軸支し、同アーム４０の他端部４２をアッパーフレーム３の屈曲部３０に係止する固定軸６に軸支し、同交差リフトアーム４の他のアーム４０端部４１をアッパーフレーム３の屈曲部３０の長孔３１に嵌挿した移動軸５に軸支し、同アーム４０の他端部４２をロアフレーム２の屈曲部２０に係止する固定軸６に軸支することで、本発明の装着用ジャッキ１が形成される。
【００２０】
また、本発明の装着用ジャッキ１においては、アーム４０の端部４２を屈曲部３０の壁に対して回動自在に固定軸６に軸支することが不可欠となる。このように形成することで、左右二つの交差リフトアーム４が平行して屈伸することが可能になり、屈伸すれば、交差リフトアーム４の各アーム４０の各端部４１が長孔２１、３１に沿って移動軸５と共に左右及び上下対称で移動し、ロアフレーム２とアッパーフレーム３との距離は上下で平行して伸縮することになる。
【００２１】
また、図１では全てのアーム端部４１、４２を屈曲部２０の内側にそれぞれ軸支している形態を示しているが、このように形成すれば、装着用ジャッキ１の側外の障害物を最少化でき、安全上より好適になる。
【００２２】
図２は本発明の屈伸手段を説明するための斜視図であり、移動軸５には移動駒５０を固定軸６には固定駒６０を設け、移動軸５と固定軸６に直交させ移動駒５０と固定駒６０とを貫通させて回転軸７設けている。この場合、回転軸７は長孔２１以上の長さの螺旋溝７０をその周面に設けて移動駒５０に螺合させ、固定軸６には回転自在に係止させている。また、回転軸７の固定軸６側端部は掴み部７１に形成されている。
【００２３】
このように形成された装着用ジャッキ１は、掴み部７１に、図示外ハンドル等の回転付与具を合わせて回転軸７を回転させれば移動駒５０が移動し、固定駒６０と移動駒５０間及び固定軸６と移動軸５間の距離は同時に並行して伸縮し、同時に、交差リフトアーム４の各アーム４０の各端部４１が長孔２１、３１に沿って移動軸５と共に左右及び上下対称で移動し、ロアフレーム２とアッパーフレーム３との距離は上下で平行して伸縮することになる。
【００２４】
この場合、回転付与具として電動ドリルを使用することができる。図３は、そのソケット８を示すもので、一端に電動ドリルの回転部に差込む挿着部８１を、多端に回転軸７端部の掴み部７１を回転不能で嵌着する接続孔８０を形成したものである。回転軸７の掴み部７１と電動ドリルに挿着されたソケット８の接続孔８０を嵌着し、電動ドリルを起動させて回転軸７を回転させれば、ロアフレーム２とアッパーフレーム３との距離は上下で平行して伸縮し、その操作は非常に楽なものになる
【００２５】
図示しないが、本発明の装着用ジャッキ１の場合、ロアフレーム２の平面部２２やアンダーフレーム３の平面部３２にボルトを通すための孔や装着用の部品等所定の装着手段を前もって設けておいてもよく、このようにすることによって、装着用ジャッキ１の台や台車等への装着作業はより楽になることになる。
【００２６】
また、本発明の装着用ジャッキ１は、例えば、ロアフレーム２とアンダーフレーム３は同じ形状の部材であり矩形の一枚の板で形成できる等部材点数が非常に少なく且つシンプルな形状であることから、経済的で使い勝手がよいものとなる。
【００２７】
以上、本発明の実施例を説明したが、本発明の装着用ジャッキ１の構成は、この実施例の記載に限定されるものではなく、その趣旨を逸脱しない範囲において適宜に変更することが可能である。
【産業上の利用可能性】
【００２８】
本発明の装着用ジャッキ１は、特に、簡易性に優れることから、作業台や台車に限らず、高さ調整を必要とするあらゆる設備、装置に広く用いることができる。
【図面の簡単な説明】
【００２９】
【図１】本発明の装着用ジャッキの一実施形態を示す斜視図である。
【図２】本発明の装着用ジャッキの一実施形態を示す斜視図である。
【図３】本発明の装着用ジャッキの操作で用いるソケットを示す正面図とその側面図である。
【符号の説明】
【００３０】
１    装着用ジャッキ
２    ロアフレーム
２０  屈曲部
２１  長孔
２２  平面部
３    アッパーフレーム
３０  屈曲部
３１  長孔
３２  平面部
４    交差リフトアーム
４０  アーム
４１  アームの端部
４２  アームの端部
５    移動軸
５０  移動駒
６    固定軸
６０  固定駒
７    回転軸
７０  螺旋溝
７１  掴み部
８    ソケット
８０  接続孔
８１  挿着部
【図１】
2004315233.tif 000003
【図２】
2004315233.tif 000004
【図３】
2004315233.tif 000005